(57)【要約】本発明は、チップモジュールが第２キャリヤテープに割り当てられかつ両方のキャリヤテープがリールから巻き解かれかつ一方が他方の上に持って来られ、それによってチップモジュールが前記第２キャリヤテープから解放されかつ第１キャリヤテープ上に予め定めた点で置かれる、トランスポンダの製造のために前記第１キャリヤテープ上に配置されたアンテナにマイクロチップモジュールを接続する方法に関する。解放は前記第２キャリヤテープが鋭い縁部において方向転換されかつチップモジュールの背部から引き剥がすことによる簡単な方法において実施される。
2004537177.tif 000002
【特許請求の範囲】
【請求項１】
チップモジュールが第２キャリヤテープに割り当てられかつ両方のキャリヤテープがリールから巻き解かれかつ一方が他方の上に持ってこられ、チップモジュールが前記第２キャリヤテープから解放されかつ予め定めた点で第１キャリヤテープ上に置かれる、トランスポンダの製造のために前記第１キャリヤテープ上に配置されたアンテナにマイクロチップモジュールを接続する方法であって、前記第２キャリヤテープ（５）からの前記チップモジュール（４）の解放が、前記キャリヤテープ（５）が縁部（２８）のまわりで方向転換されることによって生じることを特徴とする接続方法。
【請求項２】
前記方向転換縁部（２８）が鋭い縁部にされることを特徴とする請求の範囲第１項に記載の接続方法。
【請求項３】
前記第２キャリヤテープからの前記チップモジュールの解放が、前記キャリヤテープ（５）が解放点の領域において加熱されることによって生じることを特徴とする請求の範囲第１項または第２項に記載の接続方法。
【請求項４】
前記解放されたチップモジュール（４）が、このチップモジュール（４）を前記第１キャリヤテープ（１）上に置きかつ少なくとも前記チップモジュール（４）の配置において、前記第１キャリヤテープ（１）と同期して動くホルダ装置（２０）によって取られることを特徴とする請求の範囲第１項ないし第３項のいずれか１項に記載の接続方法。
【請求項５】
前記ホルダ装置（２０）がクランク機構（クランク２４）によって駆動されかつ固定スタンプ（２５，２６）を有するロッカ（２１）を呈し、そのさい前記チップモジュールが前記第１キャリヤテープ（１）に固定されることを特徴とする請求の範囲第１項ないし第４項のいずれか１項に記載の接続方法。
【請求項６】
前記チップモジュール（４）が前記固定スタンプ（２５）を使用して前記第１キャリヤテープ（１）に貼り付けられることを特徴とする請求の範囲第１項ないし第５項のいずれか１項に記載の接続方法。
【請求項７】
前記チップモジュール（４）が前記アンテナ（２）への電気的接続の同時の接合により前記固定スタンプ（２５）を使用して前記第１キャリヤテープ（１）上に襞付けされることを特徴とする請求の範囲第１項ないし第６項のいずれか１項に記載の接続方法。
【請求項８】
前記ホルダ装置（２０）が前記第１キャリヤテープ（１）の両側上に対として配置された固定スタンプ（２５，２６）を有する二重ロッカ（２１）を呈することを特徴とする請求の範囲第１項ないし第７項のいずれか１項に記載の接続方法。
【請求項９】
前記ホルダ装置がこのホルダ装置の同期駆動のために前記第１キャリヤテープに間歇的に接続され得ることを特徴とする請求の範囲第１項ないし第８項のいずれか１項に記載の接続方法。
【請求項１０】
前記ホルダ装置がばね装置によってその最初の位置に戻されることを特徴とする請求の範囲第１項ないし第９項のいずれか１項に記載の接続方法。
【請求項１１】
アンテナ入力リール（７）およびアンテナ仕上げリール（８）を備えかつ前記チップモジュールを呈する前記キャリヤテープ（５）用のリール（９）および前記空の第２キャリヤテープを巻き上げるためのリール（１１）を備え、適切におかれるような前記アンテナ入力リール（７）と前記チップモジュール用のアンテナ仕上げリール（８）との間に配置されたホルダ装置（２０）を備えそしてこのホルダ装置（２０）の前方で直接前記第２キャリヤテープ（５）用の方向転換縁部（２８）を備えることを特徴とする請求の範囲第１項ないし第１０項のいずれか１項に記載の接続方法を実施するための装置。
【請求項１２】
前記ホルダ装置（２０）が前記チップモジュール前記第１キャリヤテープ（１）を貼り付けおよび／または襞付けするための固定スタンプ（２５）を呈することを特徴とする請求の範囲第１１項に記載の装置。
【請求項１３】
前記ホルダ装置（２０）が前記第１キャリヤテープ（１）と同期して駆動されるクランク機構（クランク２４）によって駆動されるロッカ（２１）を呈し、前記ロッカ（２１）が固定スタンプ（２５，２６）を支持することを特徴とする請求の範囲第１１項または第１２項に記載の装置。
【請求項１４】
前記固定スタンプ（２５，２６）が加熱されることができかつ一体にされた接着および襞付けスタンプとして形成されることを特徴とする請求の範囲第１１項ないし第１３項のいずれか１項に記載の装置。
【請求項１５】
前記ホルダ装置（２０）が二重ロッカ（２１）として形成されかつ前記第１キャリヤテープ（１）の反対側に対として配置された２つの固定スタンプ（２５，２６）を呈することを特徴とする請求の範囲第１１項ないし第１４項のいずれか１項に記載の装置。
【発明の詳細な説明】
【技術分野】
【０００１】
本発明は、チップモジュールがまず第２キャリヤテープに割り当てられかつ両方のキャリヤテープがリールから連続して巻き解かれかつ一方が他方の上に持って来られ、それによってチップモジュールが前記第２キャリヤテープから解放されかつ予め定めた点で第１キャリヤテープ上に置かれる、トランスポンダの製造のために前記第１キャリヤテープ上に配置されたアンテナにマイクロチップモジュールを接続する方法に関する。
【背景技術】
【０００２】
この型の方法は、未だ公開されていない独国特許出願第１０１２０２６９号に記載されている。その特許出願に記載された方法によれば、チップモジュールは加熱され得る方向転換ローラのまわりに通され、それによって第２キャリヤテープ上にチップモジュールを保持するニカワの接着力が無力化される。この方法において解放されたチップモジュールは第１キャリヤテープと同期して循環している搬送テープによって固定されかつ次の襞付けまたは半田付けステーションに通される。
【発明の開示】
【０００３】
本発明の目的は初めに記載された方法をさらに改良することにある。
【０００４】
この目的は、第２キャリヤテープからのチップモジュールの解放が、キャリヤテープが縁部のまわりで方向転換されることによって生じることによって解決される。ここで、第２キャリヤテープ、通常、箔が非常に柔軟であり、それに反してチップモジュールが一定の硬さを呈する事実が利用される。縁部のまわりのキャリヤテープの方向転換はキャリヤテープをチップモジュールから引き剥がさせる。
【０００５】
この引き剥がし過程はキャリヤテープが解放点の領域において加熱されることによっておよび／または方向転換縁部が鋭い縁部にされることによって好ましくは促進される。両手段は解放過程を促進する。
【０００６】
本発明の好都合な実施の形態によれば、この方法において解放されたチップモジュールが、このチップモジュールを第１キャリヤテープ上に置きかつ少なくとも前記チップモジュールの配置において、前記第１キャリヤテープと同期して動くホルダ装置によって取られる。この観点において、前記ホルダ装置が、クランク機構によって駆動され、かつ前記解放されたチップモジュールを前記第１キャリヤテープ上に配置する固定スタンプを有する、ロッカを呈することがとくに好ましい。前記ロッカを駆動するクランク機構は、適切なアンテナの端子上の前記チップモジュールの配置のときに、このチップモジュールが前記第１キャリヤテープと同一の速度で動かされるように前記第１キャリヤテープに容易に同期されることができる。
【０００７】
第１キャリヤテープ上のチップモジュールの配置および固定は前記チップモジュールが固定スタンプを使用して前記第１キャリヤテープ上に貼り付けられることによって簡単に達成され得る。前記チップモジュールがいずれの場合にも接着箔と嵌合されるという事実が利用される。
【０００８】
代替的に、チップモジュールは、しかしながら、また、固定スタンプを使用してキャリヤテープ上に襞付けされ、それによってアンテナへの電気的接続がこの襞付け過程によって同時に設けられる。この観点において、ホルダ装置が第１キャリヤテープの両側上に対として配置された固定スタンプを有する二重ロッカを呈するならば好都合である。対として配置された、２つの固定スタンプは、この方法において襞付けステーションを形成することができ、それによって一方のスタンプが工具を示しかつ他方の固定スタンプが対向する固定具を示している。
【０００９】
ホルダ装置を同期して駆動する他の方法は、好ましくは、前記ホルダ装置が第１キャリヤテープへの時間の部分に関して接合され得ることによって設けられることができる。これは、例えば、前記ホルダ装置を前記第１キャリヤテープと摩擦接続するクラッチによって発生し得る。固定過程が終了されるとき、クラッチは、再び、前記ホルダ装置が、例えば、ばね装置によって、その最初の位置に戻され得るように解放される。
【００１０】
以下で、本発明の実施の形態が図面に基づいてより詳細に説明される。
【発明を実施するための最良の形態】
【００１１】
図１はコイル２がアンテナとしてそれに割り当てられる第１キャリヤテープ１を示している。ここで、アンテナは電気メッキの間中の堆積によって製造された。コイル２はチップモジュール用の２つの端子３を呈している。
【００１２】
この型のチップモジュール４は図２に示される。それらは第２キャリヤテープ５上に一方が他方の後ろに密接して保持される。チップモジュールは先行する結合過程によって図２に示したチップケース内に包装される。このケースはすでにスズメッキされかつ矩形のコイル２の端子に対応する空間を有する２つの端子パッド６を呈する。
【００１３】
図３はチップモジュール４ですでに補完された矩形のコイル２を備えたキャリヤテープ１を示している。チップモジュール４はその端子パッド６によって端子３に半田付けされている。
【００１４】
以下で、製造方法を図４および図５に基づいてより詳細に説明する。アンテナコイル２を支持する第１キャリヤテープ1はアンテナリール７上に巻かれかつそれから巻き解かれかつ接続過程後それはアンテナ仕上げリール８上に巻かれる。
【００１５】
チップモジュール４を支持する第２キャリヤテープ２はリール９から巻き解かれかつ第２リール１１上に巻き上げられる。
【００１６】
ホルダ装置２０はアンテナ入力リール７とアンテナ仕上げリール８との間に設けられる。図５でより詳細に見られ得る、このホルダ装置２０は、上方ロッカアーム２２および下方ロッカアーム２３を有する二重ロッカ２１を含んでいる。両ロッカアームは、ここでは４つのクランク２４を含みかつそれらが第１キャリヤテープの速度に同期される往復運動を実施する、クランク機構によって駆動される。両ロッカアーム２２および２３は各々固定スタンプ２５、および２６を支持し、それによって上方固定スタンプ２５は襞付け工具として形成され、一方下方固定スタンプ２６は対応する対向固定具を形成する。固定スタンプの前方に直接、方向転換クサビが第２キャリヤテープ５に設けられる。方向転換クサビ２７は、第２キャリヤテープ５がチップモジュール４から解放されるように第２キャリヤテープ５がそれを介して方向転換される鋭い前方縁部２８を有している。
【００１７】
装置の構造を説明したので、次にその作動方法をより詳細に説明する。
【００１８】
アンテナテープ１、すなわち、第１キャリヤテープはアンテナ入力リール７から連続して巻き解かれそしてアンテナ仕上げリール８上に巻かれる。第２キャリヤテープ５用のリール９および１１の駆動は割り出し器（インデキサ）を介して設けられかつそれゆえ間歇的である。図５で非常に良く見られ得るように、チップモジュール４を支持する第２キャリヤテープ５は方向転換クサビ２７の下側を超えてかつキャリヤテープがクサビに向かい合い、これに反してチップモジュールが第１キャリヤテープ１の上側に向かい合うような方法において通される。第２キャリヤテープ５は鋭い縁部２８で方向転換され、その結果キャリヤテープはチップモジュール４から解放される。この方法において解放されるチップモジュールは下側に配置された固定スタンプ２６によって支持されるキャリヤテープ１上に固定スタンプ２５によって押圧される。ここで例示されている好適な実施の形態によれば、固定はキャリヤテープへのチップモジュールの貼り付けによってかつアンテナ２の端子３へのチップモジュール４の端子６の同時の襞付けによって実行される。ここで、貼り付けは、熱的に活性化され得る接着箔がキャリヤテープ５から離れて向かい合っているチップモジュールの側に割り当てられ、接着箔は加熱され得る固定スタンプによって第１キャリヤテープ上に固定されて、全く簡単に成し遂げられる。貼り付けおよび襞付け過程の間中、ホルダ装置２０、またはより精確には、その二重ロッカ２１は、クランク２４を介して同期してかつキャリヤテープ１と同一の速度において動かされ、その結果相対的な運動はチップモジュール４とキャリヤテープ１との間に引き起こされない。いったん襞付けが完了すると、固定スタンプ２５および２６はキャリヤテープ１から解放されかつロッカアーム２２および２３によってそれらの最初の位置に持って来られる。
【００１９】
ホルダ装置２０と図キャリヤテープ１との間の同期はセンサおよび追随する電気駆動を介して電子手段によって発生することができる。
【００２０】
上述した実施の形態は好適であるけれども、また、貼り付けおよび襞付けが連続して位置決めされた、別個のステーションにおいて行なわれ得ることも考えられる。チップモジュールは先行する接着段階により襞付け過程の間中すでに固定されるので、その場合に襞付け過程の間中可動の対向固定具は必要ならば除去されることができる。
【図面の簡単な説明】
【００２１】
【図１】アンテナを備えた第１キャリヤテープを示す図である。
【図２】チップモジュールを備えた第２キャリヤテープを示す図である。
【図３】アンテナ端子に接続された配置されたチップモジュールを有する、図１による第１キャリヤテープを示す図である。
【図４】第１キャリヤテープ上のアンテナへの第２キャリヤテープ上のチップモジュールの接続用装置を示す概略図である。
【図５】図４における装置のＶを示す詳細図である。
【国際公開パンフレット】
2004537177.tif 000003
2004537177.tif 000004
2004537177.tif 000005
2004537177.tif 000006
2004537177.tif 000007
2004537177.tif 000008
2004537177.tif 000009
2004537177.tif 000010
2004537177.tif 000011
2004537177.tif 000012
2004537177.tif 000013
2004537177.tif 000014
2004537177.tif 000015
【国際調査報告】
2004537177.tif 000016
2004537177.tif 000017
2004537177.tif 000018
2004537177.tif 000019